(57)【特許請求の範囲】
【請求項１】
公営競技における投票券の申込み及び的中券に対する払戻し等を管理するトータリゼータセンターと、加入者よりキャッシュレス投票の申込みを受け付ける複数のキャッシュレス・サブシステムを備えたトータリゼータシステムにおいて、
加入者情報を保持する加入者管理ファイルと、加入者の預金情報を保持する預金口座ファイルをトータリゼータセンターに設け、
加入者番号により区分され、キャッシュレス・サブシステムがサービスを担当する加入者の個人別情報が保持される口座ファイルと、競技の投票情報が保持される集計ファイルと、的中券に対する清算処理を行う的中券処理手段を具備した、キャッシュレス投票の申込みを受け付ける複数のキャッシュレス・サブシステムを設け、
トータリゼータセンターは、競技開催前に、前記加入者管理ファイルと預金口座ファイルより各キャッシュレス・サブシステム毎の加入者に対する情報の保持された口座ファイルを作成し、これを対応するキャッシュレス・サブシステムの口座ファイルに配信することを特徴とするトータリゼータシステムにおけるキャッシュレス投票処理システム。
【請求項２】
前記トータリゼータセンターにデータをキャッシュレス・サブシステムに転送するデータ転送手段と、加入者照合のリストを設け、
加入者が、その使用する投票券申込手段の種別に応じて定められたキャッシュレス・サブシステム以外のキャッシュレス・サブシステムに投票関連情報の入力を行ったとき、この投票情報を受信したキャッシュレス・サブシステムでは、加入者照合のリストを参照してこの入力された投票関連情報を前記定められたキャッシュレス・サブシステムに転送して、これに対応する処理を行うようにしたことを特徴とする請求項１記載のトータリゼータシステムにおけるキャッシュレス投票処理システム。
【請求項３】
前記トータリゼータセンターには、複数のキャッシュレス・サブシステム対応に投票受付用口座ファイルが設けられ、
競技開催後に、トータリゼータセンターのコンピュータが各サブシステムから口座ファイルのデータを受信し、トータリゼータセンターが備える投票受付用口座ファイルに記録することを特徴とする請求項１記載のトータリゼータシステムにおけるキャッシュレス投票処理システム。
【発明の詳細な説明】
【０００１】
【発明の属する技術分野】
本発明はトータリゼータシステムにおけるキャッシュレス投票処理システムに係り、特に事前に加入手続を済ませた会員が、例えば勝馬投票券を購入する際の手段として電話や個人用投票券購入機等を使用したキャッシュレス投票を受付け、振替申込処理した結果を銀行との間で決済を行うものに関する。
【０００２】
【従来の技術】
従来のキャッシュレス投票処理システムでは、事前に加入手続を済ませた加入者が、例えば電話を使用して、キャッシュレスにより勝馬投票券を購入する場合、図３に示す如く、大型の汎用電子計算機を設備したセンター５０に全ての加入者の口座ファイル５１を保持し、キャッシュレス・サブシステム５２、５３、５４により１件ずつ投票購入依頼を受け付け、この汎用電子計算機を用いて口座ファイル２１を集中管理していた。この際加入者から加入者番号、暗証番号等を入力する必要があり、センター５０でその照合が行われる。
【０００３】
このセンター５０の口座ファイル５１は多重化されているので、キャッシュレス投票処理システムの信頼性を高めている。
【０００４】
サブシステム５２は、電話機Ｔ1 、Ｔ2 ・・・を利用する加入者からの投票券購入依頼を受け付け、この受け付けたことを通信手段を使用してセンター５０に通知し、センター５０ではこれを口座ファイル２１に記入するものである。
【０００５】
サブシステム５３は、在宅用投票券購入機Ｈ1 、Ｈ2 ・・・を用いて各加入者が自宅から申込みを行った投票券購入依頼を受け、またサブシステム５４は、パソコンＰ1 、Ｐ2 ・・・を用いた加入者からの投票券購入を受け付けるものであり、各サブシステム５３、５４は、サブシステム５２と同様に、加入者からの投票券購入依頼を受け付けたとき、これを通信手段を使用してセンター５０に通知し、センター５０ではこれを口座ファイル５１に記入する。
【０００６】
【発明が解決しようとする課題】
従来のキャッシュレス投票処理システムでは、センター５０はサブシステムを経由して加入者からの投票券購入申込みが行われたとき、サブシステム５２、５３、５４より加入者からの申込み毎に、つまり１件ずつ投票券購入申込みをセンター５０で受け付けている集中処理を実施していた。
【０００７】
このような集中処理を実施しているため、キャッシュレスで投票券を購入できる加入者が増加するに従って単位時間あたりの投票券購入受付依頼が増加し、センター５０のホストコンピュータの処理能力の向上がその都度必要になってきている。
【０００８】
そのため現在では、高価な超大型の汎用コンピュータとファイル装置などを採用した構成をとっているため、その主催者側の負担つまり顧客の負担が非常に大きなものになっている。
【０００９】
実際の運用に際しては、競技における投票券発売締切り間際に投票券購入申込みが集中し、その結果センターのホストコンピュータの負荷が集中するために、大容量のものが必要となるが、発売締切り間際を除いた時間帯ではコンピュータの稼働率が低く、従って過剰ともいえる設備投資に見えることになる。
【００１０】
本発明の目的は、このような投票券発売締切り間際にセンターのホストコンピュータの負荷が集中することを防止したトータリゼータシステムにおけるキャッシュレス投票処理システムを提供することである。
【００１１】
【発明の実施の形態】
本発明の原理を図１に示す。図１において、１はトータリゼータセンター、２はプロセッサ、３は預金口座ファイル、４は加入者管理ファイル、５は投票受付用口座ファイル、６は票数集計ファイル、１０はルータ、２０はキャッシュレス・サブシステムであり、キャッシュレス・サブシステム♯１、♯２・・・♯ｎで構成されるもの、２１はサブシステム・プロセッサ、２１−１投票受付プログラム、２１−３はリスト、Ｎ−１〜Ｎ−ｎは公衆回線網、Ｔ1 、Ｔ2 ・・・Ｔｍは電話機、Ｈ1 、Ｈ2 ・・・Ｈｐは在宅用投票券購入機、Ｐ1 、Ｐ2 ・・・Ｐｒはパソコンである。
【００１２】
本発明の前記目的は下記（１）〜（３）により達成される。
【００１３】
（１）公営競技における投票券の申込み及び的中券に対する払戻し等を管理するトータリゼータセンター１と、加入者よりキャッシュレス投票の申込みを受け付ける複数のキャッシュレス・サブシステム２０を備えたトータリゼータシステムにおいて、加入者情報を保持する加入者管理ファイル４と、加入者の預金情報を保持する預金口座ファイル３をトータリゼータセンター１に設け、加入者番号により区分され、キャッシュレス・サブシステムがサービスを担当する加入者の個人別情報が保持される口座ファイル２２と、競技の投票情報が保持される集計ファイル２３と、的中券に対する清算処理を行う的中券処理手段２１を具備した、キャッシュレス投票の申込みを受け付ける複数のキャッシュレス・サブシステム２０を設け、トータリゼータセンター１は、競技開催前に、前記加入者管理ファイル４と預金口座ファイル３より各キャッシュレス・サブシステム毎の加入者に対する情報の保持された口座ファイルを作成し、これを対応するキャッシュレス・サブシステムの口座ファイル２２に配信することを特徴とする。
【００１４】
（２）前記（１）のトータリゼータシステムにおけるキャッシュレス投票処理システムにおいて、前記トータリゼータセンターにデータをキャッシュレス・サブシステムに転送するデータ転送手段１０と、加入者照合のリストを設け、加入者が、その使用する投票券申込手段の種別に応じて定められたキャッシュレス・サブシステム以外のキャッシュレス・サブシステムに投票関連情報の入力を行ったとき、この投票情報を受信したキャッシュレス・サブシステムでは、加入者照合のリストを参照してこの入力された投票関連情報を前記定められたキャッシュレス・サブシステムに転送して、これに対応する処理を行うようにしたことを特徴とする。
【００１５】
（３）前記（１）のトータリゼータシステムにおけるキャッシュレス投票処理システムにおいて、前記トータリゼータセンター１には、複数のキャッシュレス・サブシステム２０対応に投票受付用口座ファイル５が設けられ、競技開催後に、トータリゼータセンターのコンピュータが各サブシステムから口座ファイルのデータを受信し、トータリゼータセンターが備える投票受付用口座ファイルに記録することを特徴とする。
【００１６】
これにより下記の作用効果を奏することができる。
【００１７】
（１）キャッシュレス・サブシステムに、このキャッシュレス・サブシステム毎の加入者に対する情報の保持された口座ファイルを設けたので、加入者からの投票申込み等に際し、加入者番号や暗証番号の照合を、センターではなくこのキャッシュレス・サブシステムで行うことができ、トータリゼータセンターの負荷を大きく減少することができ、また投票情報が保持される集計ファイルを設けたので、加入者からの投票情報を一定の時間毎にトータリゼータセンターに送出することができ、センターでの負荷の集中を削減することができる。しかも的中券処理手段を設け、的中券に対してはこのキャッシュレス・サブシステム内の口座ファイルにその払戻し金額を加算して、さらにこれを投票券購入に利用することができるので、預金口座の記入訂正等センターのコンピュータに大きな負担をかけることなく、加入者に対するサービスを向上させることができる。
【００１８】
しかもセンターの負荷軽減により、不所望な高価なコンピュータを購入する必要なく、稼働資産の削減をはかることができ、また負荷の平均化によりコンピュータの稼働効率の向上を実現することができる。
【００１９】
（２）トータリゼータセンターにデータ転送手段を設けたので、間違ったキャッシュレス・サブシステムに投票関連情報を入力しても、正しいキャッシュレス・サブシステムが加入者に対して正確に応答を行うことができるので、サービスの向上をはかることができる。
【００２０】
（３）競技開催終了後にキャッシュレス・サブシステムに設けられた口座ファイルのデータを使用して、銀行への預金口座ファイルを作成するので、払戻し金の清算とか、投票券購入金額の清算等が行われたあとの口座ファイルのデータを使用することができ、銀行への預金口座ファイルの作成を容易に効率的に行うことができる。
【００２１】
【発明の実施の形態】
本発明の一実施の形態を図１にもとづき説明する。図１は本発明の一実施の形態を示し、１はトータリゼータセンター、２はプロセッサ、３は預金口座ファイル、４は加入者管理ファイル、５は投票受付用口座ファイル、６は票数集計ファイル、１０はルータ、２０はキャッシュレス・サブシステムであり、キャッシュレス・サブシステム♯１、♯２・・・♯ｎで構成されるもの、２１はサブシステム・  プロセッサである。
【００２２】
トータリゼータセンター１は、レースの売上げ状態を監視して的中投票券に対する配当を算出したり、投票券に対する概算配当率（オッズ）を算出してファンに提供したり、またキャッシュレス投票可能な加入者の預金口座を管理するものであり、プロセッサ２、預金口座ファイル３、加入者管理ファイル４、投票受付用口座ファイル５、投票集計ファイル６等が具備されている。
【００２３】
プロセッサ２はトータリゼータセンター１における種々の管理、演算を行うものであり、預金口座ファイル３を加入者の投票結果にもとづき訂正したり、加入者管理ファイル４から加入者対応の加入者番号や暗証番号を預金口座ファイル３から読出した口座預金残高及び前日に購入した前日投票券データ等をその使用する投票券申込み用機種に応じたキャッシュレス・サブシステム♯１、♯２・・・♯ｎの１つに送出したり、一定時間毎に各キャッシュレス・サブシステム♯１、♯２・・・♯ｎより集めた票数集計データにもとづき投票券対応の概算配当率を演算したり、的中券に対する配当金を演算するものであり、例えば加入者管理プログラム２−１、預金口座プログラム２−２、ファイル転送プログラム２−３、集計データ受信プログラム２−４・・・で制御が行われる。
【００２４】
預金口座ファイル３は、加入者毎の銀行における預金残高が記入されるものであり、この外加入者の住所氏名、銀行の口座番号等が記入され、また競技開催終了後に各キャッシュレス・サブシステム♯１、♯２・・・♯ｎの口座ファイルより集信されたデータにもとづき作成される。なお預金口座ファイル３は銀行で保持してもよい。
【００２５】
加入者管理ファイル４は、キャッシュレス投票用の加入者の個人別の管理データが保持されるものであって、加入者番号と暗証番号、投票券購入申込みに使用する投票券申込み用機種等が記入されている。
【００２６】
投票受付用口座ファイル５は、トータリゼータセンター１と、キャッシュレス・サブシステム♯１、♯２・・・♯ｎとの間に加入者用のデータを送受信する場合に使用されるものであり、また加入者の前日投票券購入データも保持されている。そして投票受付用口座ファイル５は、キャッシュレス・サブシステム♯１、♯２・・・♯ｎに対応した♯１用の投票受付用口座ファイル５−１、♯２用の投票受付用口座ファイル５−２・・・♯ｎ用の投票受付用口座ファイル５−ｎ等により構成されている。
【００２７】
票数集計ファイル６は、各キャッシュレス・サブシステム♯１、♯２・・・♯ｎに記入されている投票データを一定時間毎に集めてこれを集計するものである。そして票数集計ファイル６は、キャッシュレス・サブシステム♯１、♯２・・・♯ｎに対応した♯１用の票数集計ファイル６−１、♯２用の票数集計ファイル６−２・・・♯ｎ用の票数集計ファイル６−ｎ等により構成されている。
【００２８】
ルータ１０はトータリゼータセンター１に設けられ、キャッシュレス・サブシステム♯１、♯２・・・♯ｎから伝達されたデータを、そのヘッダに記入されたアドレス先に転送制御するものであ、例えばキャッシュレス・サブシステム♯２に伝送すべきデータが誤ってキャッシュレス・サブシステム♯ｎに伝達されたとき、キャッシュレス・サブシステム♯ｎはこれにキャッシュレス・サブシステム♯２を示す送り先アドレス情報を付加し、トータリゼータセンター１に送信する。ルータ１０はこの送り先アドレス情報をみて、これを正しい送信先であるキャッシュレス・サブシステム♯２に送信処理を行う。
【００２９】
キャッシュレス・サブシステム２０は、キャッシュレスで投票券を購入することができる加入者の投票券購入の申込みを受け付ける投票券申込機構であり、複数のキャッシュレス・サブシステム♯１、♯２・・・♯ｎで構成される。これはキャッシュレス投票券購入を行う加入者の加入者番号に応じてこれを受付けるものが区分されるものであり、例えばキャッシュレス・サブシステム♯１では加入者番号０〜ａまで、キャッシュレス・サブシステム♯２ではａの次のｂ〜ｍまで・・・のように区分けされる。
【００３０】
図では加入者番号に応じて区分けしたときたまたまキャッシュレス・サブシステム♯１では電話機Ｔ1 、Ｔ2 ・・・Ｔｍによる申込みを受け付け、キャッシュレス・サブシステム♯２ではホームマスターと称される在宅用投票券購入機Ｈ1 、Ｈ2 ・・・Ｈｐによる申込みを受付け、またキャッシュレス・サブシステム♯ｎではパソコンＰ1 、Ｐ2 ・・・Ｐｒを使用した申込みを受付けた状態になった場合を示している。通常は各キャッシュレス・サブシステムにこれら電話機、在宅用投票券購入機、パソコンが混在して接続されている。
【００３１】
各キャッシュレス・サブシステム♯１、♯２・・・♯ｎは同じ構成であるので、これを代表的にキャッシュレス・サブシステム♯１について説明する。
【００３２】
キャッシュレス・サブシステム♯１には、プロセッサ２１、口座ファイル２２、集計ファイル２３等が具備されている。
【００３３】
プロセッサ２１はキャッシュレス・サブシステム♯１における種々の管理、演算を行うものであり、加入者からの投票券購入申込みに対し、加入者から入力された加入者番号、暗証番号を口座ファイルから読出したものと照合して正しい加入者か否かを判別したり、口座の残高や当日の申込み回数を口座ファイルから読み出して加入者に通知したり、的中券に対する処理を行って口座残高をこれに応じて加算したり、集計ファイル２３に記入された投票券の購入データを一定時間毎にトータリゼータセンター１に通知したり、受信した投票関連情報が他のキャッシュレス・サブシステムで処理されるべきもののとき、リスト２１−３を参照してこれを判断して正しいキャッシュレス・サブシステムに転送すべく転送先アドレスを付加してトータリゼータセンター１に送出したり、また競技開催終了後に口座ファイル２２のデータをトータリゼータセンター１に送出する等の処理を行うものである。
【００３４】
このためプロセッサ２１は、例えば投票受付プログラム２１−１、的中券処理プログラム２１−２、加入者照合のリスト２１−３、集計データ送信プログラム２１−４、ファイル転送プログラム２１−５・・・で制御が行われる。
【００３５】
口座ファイル２２は、キャッシュレス・サブシステム♯１に対して投票券購入申込み可能な加入者の加入者番号、暗証番号、口座残高（当日の的中券処理済のもの）、当日及び前日の使用回数、購入データ等の個人情報が記入されている。
【００３６】
集計ファイル２３は、キャッシュレス・サブシステム♯１に対して加入者からの購入申込みの行われた投票券データが記入されるものであり、開催日、場名、レース番号名、識別データ（例えば競馬の場合は単勝、複勝、枠番連勝、馬番連勝、ワイド、馬番号、枠番号購入金額等）が記入される。そしてこの投票券データは、一定時間毎にトータリゼータセンター１の票数集計ファイル６の♯１用の票数集計ファイル６−１に、前回の送信データに新規分を加算した状態で、つまり上書き状態で送付され、これにより例えばオッズの計算が行われる。そして投票券購入締切り直後にも集計ファイル２３のデータはトータリゼータセンター１の♯１用の票数集計ファイル６−１に送付され、的中券に対する配当の計算がプロセッサ２行われる。
【００３７】
加入者が電話機Ｔ1 、Ｔ2 ・・・Ｔｍを使用して投票券の購入申込みを行うと、公衆回路網Ｎ−１を経由してキャッシュレス・サブシステム♯１に対するアクセスが行われ、また在宅用投票券購入機Ｈ1 、Ｈ2 ・・・Ｈｐを使用して投票券の購入申込みを行うと、公衆回路網Ｎ−２を経由してキャッシュレス・サブシステム♯２に対するアクセスが行われ、パソコンＰ1 、Ｐ2 ・・・Ｐｒを使用して投票券の購入申込みを行うと、公衆回路網Ｎ−ｎを経由してキャッシュレス・サブシステム♯ｎに対するアクセスが行われる。
【００３８】
本発明の一実施の形態の動作を図１により説明する。
【００３９】
（１）公営競技の開催に先立ち、例えば開催日の当日朝とか前日夕方等において、トータリゼータセンター１では、加入者管理ファイル４と、預金口座ファイル３から、加入者番号、暗証番号、口座残高等の個人データを得、また投票受付用口座ファイル５に保持されている加入者毎の前回投票券購入データを得て、電話機Ｔ1 、Ｔ2 ・・・Ｔｍにより申込み可能な加入者の前記個人データ及び前回投票券購入データをキャッシュレス・サブシステム♯１の口座ファイル２２に格納する。キャッシュレス・サブシステム♯２・・・♯ｎにも、使用機種別毎の同様の処理が行われる。
【００４０】
（２）競技が開催され、例えば電話機Ｔ1 を使用して加入者が投票券の購入申込みを行うとき、キャッシュレス・サブシステム♯１でこれを受付けて、加入者番号の入力を求め、これにより入力された加入者番号により口座ファイル２２を読み出して暗証番号を入手する。そして加入者に対して暗証番号の入力を求め、これらが一致すれば正しい加入者からの申込みと判断し、口座ファイル２２から暗証番号読み出し時に入手した口座情報により、残高金額や当日の利用回数等を知らせる。
【００４１】
（３）加入者はこれにより購入する投票券情報を入力する。例えば馬券の場合は、開催日、場名、レース番号、識別データ（単勝、複勝、枠番連勝、馬番連勝、ワイド、馬番号、枠番号、購入金額等）を入力する。この投票券情報は集計ファイル２３に記入されるとともに口座ファイル２２にも記入され、また口座ファイル２２内の購入申込み回数が＋１される。なおこの回数は例えば電話機等の使用機を１回使用する毎に、投票券の枚数に関係なく＋１される。このようにして口座ファイル２２、集計ファイル２３には、加入者からの申込みにもとづき順次データが記入される。
【００４２】
（４）各キャッシュレス・サブシステム♯１、♯２・・・♯ｎの集計ファイル２３に記入された投票券情報は、一定時間毎及び投票券購入締切り直後にトータリゼータ１の票数集計ファイル６に送出され、キャッシュレス・サブシステム♯１、♯２・・・♯ｎ対応に格納される。そしてこれら一定時間毎に票数集計ファイル６に送出されたデータによりプロセッサ２ではオッズを作成し、各キャッシュレス・サブシステム♯１、♯２・・・♯ｎに送出し、加入者からの要求に応じて提供できるように用意される。また投票券購入締切り直後に票数集計ファイル６に送出されたデータによりプロセッサ２は配当金を計算し、各キャッシュレス・サブシステム♯１、♯２・・・♯ｎに送出する。
【００４３】
（５）キャッシュレス・サブシステム♯１ではプロセッサ２１が口座ファイル２２を読み出して的中券を申込んだ加入者に対して配当金を計算してこの口座ファイル２２の口座残高にこれを加算する処理を行う。キャッシュレス・サブシステム♯２・・・♯ｎでも同様の処理が行われる。このようにして、競技が順次行われるにつれてキャッシュレス・サブシステム♯１ではこのような処理が順次行われることになる。キャッシュレス・サブシステム♯２・・・♯ｎでも同様である。
【００４４】
（６）なお競技開催中に、例えばキャッシュレス・サブシステム♯２に割り当てられている加入者がキャッシュレス・サブシステム♯ｎに投票券購入の申込みを行ったとき、キャッシュレス・サブシステム♯ｎでは、プロセッサがリストをアクセスして、この加入者はキャッシュレス・サブシステム♯２に対して申込みを行うべきものであることを認識する。これによりプロセッサは、受信したこの投票券購入の申込みデータに対して送信先としてキャッシュレス・サブシステム♯２を示すアドレスを付加し、トータリゼータセンター１に送出する。トータリゼータセンター１ではルータ１０がこれを受けて、キャッシュレス・サブシステム♯２にこれを転送するので、キャッシュレス・サブシステム♯２はこれを受けて在宅用投票券購入機Ｈ1 を使用した加入者と正常の通りのこの投票券購入処理を実施することができる。この転送処理は他の加入者が誤って自己に割り当てられたものとは別の他のキャッシュレス・サブシステムに投票券購入申込み処理を行った場合でも同様である。また投票券購入申込みのみならず、オッズ情報の提供や口座残高の照合、前日の投票内容、本日の投票内容等の投票内容照会を行った場合でも同様である。
【００４５】
（７）競技の開催が終了すると、各キャッシュレス・サブシステム♯１、♯２・・・♯ｎでは、それぞれ口座ファイルを読み出し、これをキャッシュレス・サブシステム♯１、♯２・・・♯ｎ対応にトータリゼータセンター１の♯１用の投票受付用口座ファイル５−１、♯２用の投票受付用口座ファイル５−２・・・♯ｎ用の投票受付用口座ファイル５−ｎに格納する。これにより各加入者毎の口座残高と当日の投票券購入状態を示す購入データつまり購入回数、場名、レース番号、識別データ等がそれぞれの投票受付用口座ファイル５−１〜５−ｎに記入される。
【００４６】
（８）トータリゼータセンター１では、これにより預金口座ファイル３を作成し、銀行に通知する。また前記当日の投票券購入状態を示す購入データは、加入者対応に♯１用の投票受付用口座ファイル５−１〜♯ｎ用の投票受付用口座ファイル５−ｎに記入しておく。
【００４７】
図１では、加入者が申込先のキャッシュレス・サブシステムを誤選択したとき、ルータにより正しいキャッシュレス・サブシステムに転送する例について説明したが、本発明は勿論これに限定されるものではなく、図２に示す如く、交換機１１を使用して、投票情報を正しいキャッシュレス・サブシステムに転送することもできる。
【００４８】
ところで特開昭６１−２９４５７７号公報に記載されたものは、広域通信網に接続された利用者電話端末を介して投票およびその投票に対する情報案内を行うものであり、サブシステムに口座ファイルを設けて利用者電話端末による投票にもとづく的中券に対する口座処理を行うものではない。
【００４９】
本発明は、競馬のみならず競輪・競艇・オートレース等の他の公営競技におけるコンピュータシステムに広く適用できるものである。
【００５０】
【発明の効果】
本発明は下記の効果を奏するものである。
【００５１】
（１）キャッシュレス・サブシステムに、このキャッシュレス・サブシステム毎の加入者に対する情報の保持された口座ファイルを設けたので、加入者からの投票申込み等に際し、加入者番号や暗証番号の照合を、センターではなくこのキャッシュレス・サブシステムで行うことができ、トータリゼータセンターの負荷を大きく減少することができ、また投票情報が保持される集計ファイルを設けたので、加入者からの投票情報を一定の時間毎にトータリゼータセンターに送出することができ、センターでの負荷の集中を削減することができる。しかも的中券処理手段を設け、的中券に対してはこのキャッシュレス・サブシステム内の口座ファイルにその払戻し金額を加算して、さらにこれを投票券購入に利用することができるので、預金口座の記入訂正等センターのコンピュータに大きな負担をかけることなく、加入者に対するサービスを向上させることができる。
【００５２】
しかもセンターの負荷軽減により、不所望な高価なコンピュータを購入する必要なく、稼働資産の削減をはかることができ、また負荷の平均化によりコンピュータの稼働効率の向上を実現することができる。
【００５３】
（２）トータリゼータセンターにデータ転送手段を設けたので、間違ったキャッシュレス・サブシステムに投票関連情報を入力しても、正しいキャッシュレス・サブシステムが加入者に対して正確に応答を行うことができるので、サービスの向上をはかることができる。
【００５４】
（３）競技開催終了後にキャッシュレス・サブシステムに設けられた口座ファイルのデータを使用して、銀行への預金口座ファイルを作成するので、払戻し金の清算とか、投票券購入金額の清算等が行われたあとの口座ファイルのデータを使用することができ、銀行への預金口座ファイルの作成を容易に効率的に行うことができる。
【図面の簡単な説明】
【図１】本発明の一実施の形態である。
【図２】本発明の第２の実施の形態である。
【図３】従来例である。
【符号の説明】
１  トータリゼータセンター
２  プロセッサ
３  預金口座ファイル
４  加入者管理ファイル
５  投票受付用口座ファイル
６  票数集計ファイル
１０  ルータ
２０  キャッシュレス・サブシステム
２１  サブシステム・プロセッサ
Ｎ−１〜Ｎ−ｎ  公衆回路網
【図１】
0003923713.tif 000002
【図２】
0003923713.tif 000003
【図３】
0003923713.tif 000004